(57)【要約】【課題】本発明の目的は、読書の際における本の把持を容易にする部位を備え、かつ好適に収容できるブックカバーおよび本を提供することである。【解決手段】本に被せられるブックカバーであって、本の第１表紙に被さる第１表紙部と、前記本の第２表紙に被さる第２表紙部と、前記ブックカバーが前記本に装着された際に前記本の小口に近い小口側が、前記第１表紙部および前記第２表紙部の一方の外面に接続する板状で可撓性を有するグリップ片と、を備え、前記グリップ片は、前記外面に重なる伸展状態と、前記伸展状態時に前記本の背に近い背側に位置する端部が内側に差し込まれた湾曲状態と、にすることが可能であることを特徴とするブックカバー。【選択図】図６
2020121437.tif 000002
【特許請求の範囲】
【請求項１】
本に被せられるブックカバーであって、
本の第１表紙に被さる第１表紙部と、
前記本の第２表紙に被さる第２表紙部と、
前記ブックカバーが前記本に装着された際に前記本の小口に近い小口側が、前記第１表紙部および前記第２表紙部の一方の外面に接続する板状で可撓性を有するグリップ片と、を備え、
前記グリップ片は、前記外面に重なる伸展状態と、前記伸展状態時に前記本の背に近い背側に位置する端部が内側に差し込まれた湾曲状態と、にすることが可能であることを特徴とするブックカバー。
【請求項２】
請求項１に記載のブックカバーにおいて、
前記第１表紙部および前記第２表紙部の前記一方には第１留め具が設けられ、
前記グリップ片の前記背側には第２留め具が設けられ、
前記第２留め具は、前記第１留め具に磁力により吸着されることにより前記グリップ片を前記伸展状態で留めることを特徴とするブックカバー。
【請求項３】
請求項２に記載のブックカバーにおいて、
前記第１留め具は、前記一方の内部に設けられ、
前記第２留め具は、前記グリップ片の内部に設けられていることを特徴とするブックカバー。
【請求項４】
請求項３に記載のブックカバーにおいて、
前記第２留め具は、前記グリップ片において、前記本の天地に沿う天地方向における一方向側の端縁部と前記背側の背側端縁部との隅部と、前記天地方向における他方向側の端縁部と前記背側端縁部との隅部と、に設けられていることを特徴とするブックカバー。
【請求項５】
請求項１から請求項４のいずれか一つに記載のブックカバーにおいて、
前記第１表紙部および前記第２表紙部の前記一方における前記小口側の端縁部に前記グリップ片は接続されていることを特徴とするブックカバー。
【請求項６】
請求項５に記載のブックカバーにおいて、
前記ブックカバーは、平面視矩形であり、前記本に装着された際に前記本の天に近い天側の端縁部にしおりが接続し、
前記グリップ片において、
前記伸展状態時に前記本の地に近い地側の地側端縁部は、前記第１表紙部および前記第２表紙部の前記一方の前記地側の端縁部に沿って延び、
小口側端縁部は、前記第１表紙部および前記第２表紙部の前記一方の前記小口側の端縁部よりも短く、
背側端縁部は、前記小口側端縁部よりも短く、
前記伸展状態時に前記本の天に近い天側の天側端縁部は、前記小口側から前記背側に進むに従って前記地側に進むことを特徴とするブックカバー。
【請求項７】
請求項６に記載のブックカバーにおいて、
前記天側端縁部が上に位置し内面が使用者の正面にくる姿勢の前記ブックカバーを使用者が見た場合に使用者の右側に位置する前記第１表紙部および前記第２表紙部の一方に対し、前記グリップ片は接続することを特徴とするブックカバー。
【請求項８】
請求項１から請求項７のいずれか一つのブックカバーにおいて、
前記小口側が前記第１表紙部および前記第２表紙部の他方の外面に接続する板状で可撓性を有する他方側グリップ片を備え、
前記他方側グリップ片は、前記外面に重なる伸展状態と、前記伸展状態時に前記本の背に近い背側に位置する端部が内側に差し込まれた湾曲状態と、にすることが可能であることを特徴とするブックカバー。
【請求項９】
表紙および裏表紙の少なくとも一方の外面に、板状で可撓性を有するグリップ片における小口に近い側が接続し、前記グリップ片は、前記外面に重なる伸展状態と、前記伸展状態時に背側に位置する端部が内側に差し込まれた湾曲状態と、にすることが可能であることを特徴とする本。
【発明の詳細な説明】
【技術分野】
【０００１】
本発明は、ブックカバーおよび本に関する。
【背景技術】
【０００２】
ブックカバーにおいて、表表紙部および裏表紙部にドーム部材を溶着し、読書の際にドーム部材が掌に当たることにより本の支持を容易にするものが知られている（例えば特許文献１）。
【先行技術文献】
【特許文献】
【０００３】
【特許文献１】実用新案登録第３２０９６４４号公報
【発明の概要】
【発明が解決しようとする課題】
【０００４】
特許文献１のブックカバーが掛けられた本は、カバンに収容される際に、ドーム部材の分、幅をとるという問題や、隣の本とドーム部材が接することにより不安定な姿勢になるという問題がある。
【０００５】
本発明の目的は、読書の際における本の支持を容易にする部位を備え、かつ好適に収容できるブックカバーおよび本を提供することである。
【課題を解決するための手段】
【０００６】
本発明の要旨は以下のとおりである。
（１）本に被せられるブックカバーであって、
本の第１表紙に被さる第１表紙部と、
前記本の第２表紙に被さる第２表紙部と、
前記ブックカバーが前記本に装着された際に前記本の小口に近い小口側が、前記第１表紙部および前記第２表紙部の一方の外面に接続する板状で可撓性を有するグリップ片と、を備え、
前記グリップ片は、前記外面に重なる伸展状態と、前記伸展状態時に前記本の背に近い背側に位置する端部が内側に差し込まれた湾曲状態と、にすることが可能であることを特徴とするブックカバー。
（２）（１）に記載のブックカバーにおいて、
前記第１表紙部および前記第２表紙部の前記一方には第１留め具が設けられ、
前記グリップ片の前記背側には第２留め具が設けられ、
前記第２留め具は、前記第１留め具に磁力により吸着されることにより前記グリップ片を前記伸展状態で留めることを特徴とするブックカバー。
（３）（２）に記載のブックカバーにおいて、
前記第１留め具は、前記一方の内部に設けられ、
前記第２留め具は、前記グリップ片の内部に設けられていることを特徴とするブックカバー。
（４）（３）に記載のブックカバーにおいて、
前記第２留め具は、前記グリップ片において、前記本の天地に沿う天地方向における一方向側の端縁部と前記背側の背側端縁部との隅部と、前記天地方向における他方向側の端縁部と前記背側端縁部との隅部と、に設けられていることを特徴とするブックカバー。
（５）（１）から（４）のいずれか一つに記載のブックカバーにおいて、
前記第１表紙部および前記第２表紙部の前記一方における前記小口側の端縁部に前記グリップ片は接続されていることを特徴とするブックカバー。
（６）（５）に記載のブックカバーにおいて、
前記ブックカバーは、平面視矩形であり、前記本に装着された際に前記本の天に近い天側の端縁部にしおりが接続し、
前記グリップ片において、
前記伸展状態時に前記本の地に近い地側の地側端縁部は、前記第１表紙部および前記第２表紙部の前記一方の前記地側の端縁部に沿って延び、
小口側端縁部は、前記第１表紙部および前記第２表紙部の前記一方の前記小口側の端縁部よりも短く、
背側端縁部は、前記小口側端縁部よりも短く、
前記伸展状態時に前記本の天に近い天側の天側端縁部は、前記小口側から前記背側に進むに従って前記地側に進むことを特徴とするブックカバー。
（７）（６）に記載のブックカバーにおいて、
前記天側端縁部が上に位置し内面が使用者の正面にくる姿勢の前記ブックカバーを使用者が見た場合に使用者の右側に位置する前記第１表紙部および前記第２表紙部の一方に対し、前記グリップ片は接続することを特徴とするブックカバー。
（８）（１）から（７）のいずれか一つのブックカバーにおいて、
前記小口側が、前記第１表紙部および前記第２表紙部の他方の外面に接続する板状で可撓性を有する他方側グリップ片を備え、
前記他方側グリップ片は、前記外面に重なる伸展状態と、前記伸展状態時に前記本の背に近い背側に位置する端部が内側に差し込まれた湾曲状態と、にすることが可能であることを特徴とするブックカバー。
（９）表紙および裏表紙の少なくとも一方の外面に、板状で可撓性を有するグリップ片における小口に近い側が接続し、前記グリップ片は、前記外面に重なる伸展状態と、前記伸展状態時に背側に位置する端部が内側に差し込まれた湾曲状態と、にすることが可能であることを特徴とする本。
【発明の効果】
【０００７】
本発明のブックカバーでは、伸展状態のグリップ片の背に近い背側の端部を該グリップ片の内側に差し込むことにより、グリップ片を湾曲状態にできる。読書時に、湾曲状態のグリップ片により、第１表紙部または第２表紙部を支持する手を自然な形に保持でき、使用者が楽に第１表紙部または第２表紙部を支持できるようになる。読書時以外では、グリップ片を伸ばして伸展状態にすることで、ブックカバーを装着した本の収容時などに、グリップ片により幅が取られたり、本の収容の安定性を損なったりすることがない。
【図面の簡単な説明】
【０００８】
【図１】第１実施形態のブックカバーの斜視図である。
【図２】開いた状態のカバー本体の内面側を示す図である。
【図３】開いた状態のカバー本体の外面側を示す平面図である。
【図４】本に装着されるブックカバーを示す図である。
【図５】背側端縁部が内側に差し込まれたグリップ片の湾曲状態を示す図である。
【図６】グリップ片が湾曲状態とされたブックカバーの使用状態を示す図である。
【図７】第２実施形態の本の斜視図である。
【図８】第３実施形態の開いた状態のブックカバーの外面側を示す図である。
【発明を実施するための形態】
【０００９】
（第１実施形態）
以下、実施形態について図面を参照しつつ説明する。
図１は、ブックカバー１の斜視図である。
ブックカバー１は、本に被せられるものであり、カバー本体２と、グリップ片３とを備える。
【００１０】
カバー本体２は、第１表紙部２１、第２表紙部２２、背部２３を備える。カバー本体２には、紐状のしおり２４が付いている。カバー本体２は、通常、しおり２４が上にくる姿勢で本に装着される。
【００１１】
第１表紙部２１は、見開きで左に位置する本の第１表紙に被さる。第１表紙は、一般的に、本が文庫本等でタテ組の場合は表表紙となり、本がヨコ組の場合は裏表紙となる。第１表紙部２１は、実施形態の場合、読書する人の右手に支えられることになる。
【００１２】
第２表紙部２２は、本の見開きで右に位置する第２表紙に被さる。第２表紙は、一般的に、本がタテ組の場合は裏表紙となり、本がヨコ組の場合は表表紙となる。背部２３は、本の背に被さる。
【００１３】
図２は、開いた状態のカバー本体２の内面側を示す図である。
カバー本体２は、開いた状態、かつ後述の折り返し２２２を折り返した状態では、矩形である。カバー本体２は、皮等の外面側生地とナイロン等の内面側生地とを互いに縁で縫い合わせたものであって、端部に折り返し２２２が形成された基材２０に、しおり２４、後述の袖２１１およびバンド２２１が接続したものである。
【００１４】
以降、カバー本体２が本に装着された際に、カバー本体２において、本の小口に近い側となる図２中の左側および右側を小口側と記載する。同様に、カバー本体２において、本の背に近い側となる図２中の左右方向における中央側を背側と記載する。同様に、本の天に近い側となる図２中の上側を天側と記載し、地に近い側となる図２中の下側を地側と記載する。
【００１５】
第１表紙部２１の内面側には、袖２１１が設けられている。袖２１１は、背側に開くポケット状となるように、外面側生地と同じ生地の縁が基材２０に対して縫い合わされている。袖２１１には、本の第１表紙が差し込まれる。袖２１１には、平たいしおりを差し込むことが可能なスリット２１２が形成されている。
【００１６】
第１表紙部２１内には、グリップ片３の後述する磁石３５１，３５２（図３：第２留め具）に対応する位置に、円形の磁石２５１，２５２（第１留め具）が設けられる。磁石２５１，２５２は、第１表紙部２１の外面側生地または／および内面側生地の内側に接着剤等により固定される。
【００１７】
背部２３の天側の端縁部にしおり２４が接続する。
【００１８】
第２表紙部２２には、本の第２表紙が差し込まれるバンド２２１と、バンド２２１下に差し込まれて本の第２表紙を抑える折り返し２２２がある。
【００１９】
図３は、開いた状態のカバー本体２の外面側を示す図である。
グリップ片３は、板状で可撓性を有し、小口側が第１表紙部２１の外面に接続する。具体的には、グリップ片３の小口側端縁部３１は、直線状であり、第１表紙部２１の小口側の端縁部に縫い合わされて接続している。図３では、第１表紙部２１の外面に重なる伸展状態のグリップ片３を示している。グリップ片３は、皮等の外面側生地とナイロン等の内面側生地とを互いに縁で縫い合わせたものである。
【００２０】
グリップ片３は、第１表紙部２１の地側の隅部に角が合わさるように配置されている。グリップ片３は、背側に延び、背部２３には至らない。グリップ片３の小口側端縁部３１は、第１表紙部２１の小口側の端縁部よりも短く、第１表紙部２１の地側の端縁部から天側の端縁部の手前まで延びる。グリップ片３の地側端縁部３２は、グリップ片３の伸展状態時には直線状であり、第１表紙部２１の地側の端縁部に沿って延びる。
【００２１】
背側端縁部３３は、グリップ片３の伸展状態時には、小口側端縁部３１と平行な直線状である。背側端縁部３３は、小口側端縁部３１よりも短い。グリップ片３の天側端縁部３４は、グリップ片３の伸展状態時には、小口側から背側に進むに従って地側に進むなだらかな曲線状である。
【００２２】
グリップ片３の背側の内部には、円形の磁石３５１，３５２が設けられる。磁石３５１，３５２は、グリップ片３の外面側生地または／および内面側生地の内側に接着剤等により固定される。磁石３５１は、グリップ片３の内部において、天側端縁部３４と背側端縁部３３との隅部に設けられる。磁石３５２は、グリップ片３の内部において、地側端縁部３２と背側端縁部３３との隅部に設けられる。天側端縁部３４は、本の天地に沿う天地方向における一方向側の端縁部となる。地側端縁部３２は、本の天地に沿う天地方向における他方向側の端縁部となる。
【００２３】
磁石３５１，３５２は、グリップ片３が伸展状態の際には、第１表紙部２１の磁石２５１，２５２と対向する。磁石３５１，３５２、２５１，２５２は、例えば同一の大きさである。伸展状態のグリップ片３の磁石３５１，３５２は、第１表紙部２１の磁石２５１，２５２に磁力により吸着されることにより、グリップ片３を伸展状態で第１表紙部２１に留める。
【００２４】
図４は、本に装着されるブックカバー１を示す図であり、本の図示は省略している。後術の図５でも同様である。
ブックカバー１を装着した本を使用者が読書する際、図４に示すように、グリップ片３は、天側端縁部３４が上に位置し内面が正面にくる姿勢のブックカバー１を使用者が見た場合に使用者の右側に位置する第１表紙部２１に対し、接続する。
【００２５】
使用者は、読書の最中に、第１表紙部２１を支持する右手で、グリップ片３を、背側端縁部３３をグリップ片３の内側に差し込むようにして湾曲させることができる。図５に示すように、使用者は、背側端縁部３３をグリップ片３の内側に差し込み、例えば背側端縁部３３を小口側端縁部３１の裏側に当接するまで奥に差し込み、グリップ片３を、背側端縁部３３が内側に差し込まれた湾曲状態にすることができる。グリップ片３は、グリップ片３のこしにより、このように湾曲した状態となり、また、グリップ片３と第１表紙部２１との摩擦により、湾曲状態に保持される。
【００２６】
（効果）
図６は、グリップ片３が湾曲状態とされたブックカバー１の使用状態を示す図である。
グリップ片３を湾曲状態とすることにより、右手の掌に湾曲状態のグリップ片３が当たり、第１表紙部２１を支持する右手を自然な形に保持できる。このため、使用者が楽に第１表紙部２１を支持できるようになる。
【００２７】
読書時以外では、グリップ片３を伸ばして伸展状態にできるので、ブックカバー１を装着した本の収容時などに、グリップ片３により幅が取られたり、本の収容の安定性を損なったりすることがない。
【００２８】
グリップ片３の伸展状態時には、グリップ片３を磁石２５１，２５２，３５１，３５２によって第１表紙部２１にしっかりと留めることができる。磁石２５１，２５２，３５１，３５２は、グリップ片３および第１表紙部２１の内部に設けられ、露出しないので、ブックカバー１の美観を良好にできる。
【００２９】
伸展状態におけるグリップ片３の背側の両隅部に磁石２５１，２５２が設けられているので、グリップ片３を第１表紙部２１に安定的に留めることができる。磁石２５１，２５２の間の部分の第1表紙部２１への付着は、両隅部に比べると弱い。そのため、使用者は、グリップ片３を湾曲させる際に、背側端縁部３３の中央部を小口側に引き寄せやすい。
【００３０】
グリップ片３は、第１表紙部２１の小口側の端縁部に接続されているので、湾曲状態時に第１表紙部２１の小口側の端縁部に位置する。そのため、グリップ片３は、掌の好適な位置に当たることとなり、使用者による第１表紙部２１の支持がより楽になる。
【００３１】
グリップ片３において、小口側端縁部３１は第１表紙部２１の小口側の端縁部よりも短く、地側端縁部３２は第１表紙部２１の地側の端縁部に沿い、背側端縁部３３の方が小口側端縁部３１よりも短くなっており、略台形状に形成されている。グリップ片３は、第１表紙部２１の小口側および地側の隅部に寄せて配置されているので、伸展状態時におけるブックカバー１の美観が良好となる。
【００３２】
グリップ片３において、第１表紙部２１への接続箇所である小口側端縁部３１の長さが十分にあるので、クリップ片３を第１表紙部２１に強固に接続できる。一方、背側端縁部３３を小口側端縁部３１より短くすることで、天側端縁部３４が背側かつ地側に向かって傾斜する。そのため、実施形態では、背側端縁部３３を小口側に引き寄せやすくなっており、グリップ片３を容易に湾曲させることができる。
【００３３】
（第２実施形態）
図７は、本１００の斜視図である。明細書において本とは、シートが閉じられたものを指し、綴じるシートの枚数に対する限定はないものとする。
本１００は、第１表紙２１Ａ、第２表紙２２Ａ、背２３Ａ、およびグリップ片３Ａを備える。
【００３４】
グリップ片３Ａの形状、接続の仕方等は、第１実施形態のグリップ片３と同様である。グリップ片３Ａは、第１表紙２１Ａの外面に小口に近い側が接続する。グリップ片３Ａは、外面に重なる伸展状態と、伸展状態時に背側に位置する端部が内側に差し込まれた湾曲状態（図５参照）と、にすることが可能である。
【００３５】
グリップ片３Ａの背側の両隅部内には磁石３５１Ａ，３５２Ａが設けられるとともに、第１表紙２１Ａ内において磁石３５１Ａ，３５２Ａに対応する位置に磁石２５１Ａ，２５２Ａが設けられる。
【００３６】
（第３実施形態）
図８は、開いた状態のブックカバー１Ｂの外面側を示す図である。
ブックカバー１Ｂは、第１実施形態のブックカバー１の第２表紙部２２に、グリップ片３Ｂ（他方側グリップ片）が取り付けられたものである。伸展状態のグリップ片３Ｂは、ブックカバー１Ｂが開いた状態の際に、伸展状態の第１表紙部２１のグリップ片３と、左右対称の形状となる。グリップ片３Ｂは、グリップ片３と同様の構成を備えており、伸展状態および湾曲状態にできる。グリップ片３Ｂは、グリップ片３の磁石３５１，３５２と同様の構成・位置の磁石３５１Ｂ，３５２Ｂを備える。第２表紙部２２内において、磁石３５１Ｂ，３５２Ｂに対応する各位置に不図示の磁石がある。
【００３７】
本実施形態では、グリップ片３、３Ｂを共に湾曲状態とすることにより、左右両手の掌に湾曲状態のグリップ片３、３Ｂが当たり、本を支持する両手を自然な形に保持できる。このため、使用者が楽に本を支持できる。
【００３８】
（変形例）
グリップ片３，３Ａ、３Ｂの形状は、矩形状、多角形状、半円状等どのような形状であってもよい。
グリップ片３の第１表紙部２１への接続およびグリップ片３Ｂの第２表紙部２２への接続は、実施形態では縫い合わせを例示したが、接着剤等、適宜の手段を利用できる。グリップ片３Ａの第１表紙２１Ａへの接続も、同様に適宜の手段を利用できる。
【００３９】
グリップ片３Ａは、第１表紙２１Ａおよび第２表紙２２Ａの一方または両方にあればよい。
【００４０】
ブックカバー１は、紐型のしおり２４がなくてもよく、天地逆にして本に対して装着できてもよい。
【００４１】
磁石３５１，３５２、３５１Ａ，３５２Ａ、３５１Ｂ，３５２Ｂにおいて、グリップ片３、３Ａ，３Ｂにおける位置、形状、数は、適宜でよい。例えば、磁石３５１，３５２、３５１Ａ，３５２Ａ、３５１Ｂ，３５２Ｂは、背側端縁部３３に亘って天地方向に延びる長手状であってもよい。第１表紙部２１および第１表紙２１Ａ側の磁石２５１，２５２、２５１Ａ，２５２Ａも同様であり、例えば天地方向に延びる長手状であってもよい。
【００４２】
第１表紙部２１は、矩形でなくてもよく、本の第１表紙に被さるものであれば、どのような形状であってもよい。第２表紙部２２も、矩形でなくてもよく、どのような形状であってもよい。
【００４３】
グリップ片３側の磁石３５１，３５２および第１表紙部２１側の磁石２５１，２５２の一方は、磁性体であってもよい。磁石３５１Ｂ，３５２Ｂおよび第２表紙部２２側の磁石の一方は、磁性体であってもよい。グリップ片３Ａ側の磁石３５１Ａ，３５２Ａおよび第１表紙２１Ａ側の磁石２５１Ａ，２５２Ａの一方は、磁性体であってもよい。
【００４４】
伸展状態のグリップ片３、３Ｂを第１表紙部２１に固定および解除自在に留めるための留め具の例として、実施形態では磁石を用いる例を示した。しかし、留め具は、面ファスナーや線ファスナー、ボタンを用いるものであってもよい。グリップ片３Ａにおいても同様である。なお、グリップ片３、３Ｂを第１表紙部２１に固定および解除自在に留める留め具をグリップ片３、３Ｂおよび／または第１表紙部２１に設ける例を実施形態では説明したが、留め具はグリップ片３、３Ｂおよび／または第１表紙部２１に設けられていなくてもよい。グリップ片３Ａおよび第１表紙２１Ａにおいても同様である。
【００４５】
本発明は、その特徴から逸脱することなく、実施形態で実施できる。実施形態、変形例、効果は単なる例示であり、本発明を限定するものとして解釈されるべきではない。各実施形態および変形例の特徴、構造は、追加でき、また代替の構成を得るために様々な方法で組み合わせることができる。
【符号の説明】
【００４６】
１…ブックカバー、３、３Ａ、３Ｂ…グリップ片、２１…第１表紙部、２１Ａ…第１表紙、２２Ａ…第２表紙、２２…第２表紙部、２４…しおり、３１…小口側端縁部、３２…地側端縁部、３３…背側端縁部、３４…天側端縁部、１００…本、２５１，２５２、２５１Ａ，２５２Ａ…磁石（第１留め具）、３５１，３５２、３５１Ａ，３５２Ａ、３５１Ｂ，３５２Ｂ…磁石（第２留め具）。
【図１】
2020121437.tif 000003
【図２】
2020121437.tif 000004
【図３】
2020121437.tif 000005
【図４】
2020121437.tif 000006
【図５】
2020121437.tif 000007
【図６】
2020121437.tif 000008
【図７】
2020121437.tif 000009
【図８】
2020121437.tif 000010